(57)【要約】【課題】  モジュールサイズの引戸を用いた構造でありながら、引戸のモジュール幅を変えたり或いは枠外幅寸法をモジュールサイズよりも大きくしたりすることなく、出入口幅をモジュールサイズよりも広げることを可能にすること。【解決手段】  開口部４を構成する枠体２と、開口部４の一部を出入口１とするように設けられる控え壁３と、出入口１を開閉する方向に往復移動して該出入口１を開放するときは控え壁３の後ろに納められるモジュールサイズの引戸５とを備えた引戸装置において、上記控え壁３の出入口１側の片側半部を可動壁３Ａとし且つ残りの半部を固定壁３Ｂとし、可動壁３Ａの出入口１側とは反対側の後端部３ａをこれと対向する固定壁３Ｂの先端部に着脱可能に取り付けた。【選択図】        図１
2005133318.tif 000002
【特許請求の範囲】
【請求項１】
開口部を構成する枠体と、開口部の一部を出入口とするように設けられる控え壁と、出入口を開閉する方向に往復移動して該出入口を開放するときは控え壁の後ろに納められるモジュールサイズの引戸とを備えた引戸装置において、上記控え壁の出入口側の片側半部を可動壁とし且つ残りの半部を固定壁とし、可動壁の出入口側とは反対側の後端部をこれと対向する固定壁の先端部に着脱可能に取り付けたことを特徴とする引戸装置。
【請求項２】
上記可動壁を固定壁に取り付ける手段が、可動壁の上下両端部を枠体の上枠部と下枠部とにそれぞれ係止させるフランス落としと、可動壁の出入口側と反対側の後端部が嵌め込まれる固定壁の縦凹溝と、可動壁の上端部が嵌め込まれる上枠部の横凹溝とからなることを特徴とする請求項１記載の引戸装置。
【請求項３】
上記可動壁を固定壁に取り付ける手段が、可動壁の出入口側の先端部から可動壁内部を貫通して固定壁に螺着されるボルトからなることを特徴とする請求項１記載の引戸装置。
【請求項４】
開口部を構成する枠体と、開口部の一部を出入口とするように設けられる控え壁と、出入口を開閉する方向に往復移動して該出入口を開放するときは控え壁の後ろに納められるモジュールサイズの引戸とを備えた引戸装置において、上記控え壁の出入口側の片側半部を可動壁とし且つ残りの半部を固定壁とし、可動壁を固定壁に対して折り曲げ可能に連結するスイング手段を備えていることを特徴とする引戸装置。
【請求項５】
開口部を構成する枠体と、開口部の一部を出入口とするように設けられる控え壁と、出入口を開閉する方向に往復移動して該出入口を開放するときは控え壁の後ろに納められるモジュールサイズの引戸とを備えた引戸装置において、上記控え壁の出入口側の片側半部を可動壁とし且つ残りの半部を固定壁とし、可動壁を固定壁から取り外して固定壁と対面する位置までスライドさせて保持するためのスライドレールを設けたことを特徴とする引戸装置。
【請求項６】
開口部を構成する枠体と、開口部の一部を出入口とするように設けられる控え壁と、出入口を開閉する方向に往復移動して該出入口を開放するときは控え壁の後ろに納められるモジュールサイズの引戸とを備えた引戸装置において、上記控え壁を、ヒンジ体を介して水平方向に折り畳み可能に連結された一対の折れ壁パネルで構成したことを特徴とする引戸装置。
【発明の詳細な説明】
【技術分野】
【０００１】
本発明は、引戸装置に関し、詳しくは必要に応じて出入口幅を調整できるようにするための技術に関するものである。
【背景技術】
【０００２】
従来から、出入口を開閉する引戸を開くときは控え壁の後ろに納めるようにした構造が一般に知られている（例えば、特許文献１参照）。
【０００３】
ところが、例えば図１５に示すように、開口部４の例えば左半分を出入口１とするように控え壁３を設け、出入口１を開閉する方向に往復移動するモジュールサイズの引戸５を開放する構造において、出入口幅ｄが例えば９００ｍｍ、引戸５のモジュール幅Ｍが例えば９３０ｍｍ、枠体２の枠外幅寸法Ｌが例えば１８７５ｍｍである場合、例えば出入口幅ｄよりも大きなピアノとか大型家具類を搬入する場合にあっては、通常よりも広い開口幅Ｄ（例えば１２００ｍｍ）を確保する必要がある。この場合、予め枠外幅寸法Ｌをモジュールサイズよりも大きくしておく方法と予め引戸５をモジュール幅Ｍよりも大きくしておく方法とがある。前者の枠外幅寸法Ｌを大きくする場合は、枠体２が一般住宅のモジュールサイズに納まらなくなるという問題が生じ、後者のように引戸５をモジュール幅Ｍよりも大きなものを製作する場合は引戸５の構造上、製造設備上から製作が無理になるという問題があり、また引戸５の幅寸法が大きくなることで出入口幅ｄが制限されたり、引戸５の重量が重くなるなど、使用性が悪化するという問題がある。
【特許文献１】特開平７−４２４３５号公報
【発明の開示】
【発明が解決しようとする課題】
【０００４】
本発明は上記の従来の問題点に鑑みて発明したものであって、モジュールサイズの引戸を用いた構造でありながら、引戸のモジュール幅を変えたり或いは枠体の枠外幅寸法をモジュールサイズよりも大きくしたりすることなく、出入口幅をモジュールサイズよりも広げることが可能な引戸装置を提供することを課題とするものである。
【課題を解決するための手段】
【０００５】
上記課題を解決するために請求項１記載の発明にあっては、開口部４を構成する枠体２と、開口部４の一部を出入口１とするように設けられる控え壁３と、出入口１を開閉する方向に往復移動して該出入口１を開放するときは控え壁３の後ろに納められるモジュールサイズの引戸５とを備えた引戸装置において、上記控え壁３の出入口１側の片側半部を可動壁３Ａとし且つ残りの半部を固定壁３Ｂとし、可動壁３Ａの出入口１側とは反対側の後端部をこれと対向する固定壁３Ｂの先端部に着脱可能に取り付けたことを特徴としている。
【０００６】
このような構成とすることで、通常よりも広い出入口幅が必要な場合は、可動壁３Ａを固定壁３Ｂから取り外す。これにより、枠体２の枠外幅寸法Ｌをモジュールサイズよりも大きくすることなく、しかもモジュールサイズの引戸５を用いたものでありながら、出入口幅ｄを通常よりも広い開口幅Ｄ（＞ｄ）まで広げることができ、また可動壁３Ａを固定壁３Ｂに取り付けることで、出入口幅ｄを元の通常状態に戻すことができる。
【０００７】
また請求項２記載の記載の発明にあっては、上記可動壁３Ａを固定壁３Ｂに取り付ける手段が、可動壁３Ａの上下両端部を枠体２の上枠部２ａと下枠部２ｂとにそれぞれ係止させるフランス落とし７と、可動壁３Ａの出入口１側と反対側の後端部３ａが嵌め込まれる固定壁３Ｂの縦凹溝８と、可動壁３Ａの上端部３ｂが嵌め込まれる上枠部２ａの横凹溝９とからなるのが好ましく、この場合、可動壁３Ａの着脱作業をドライバー等の工具を用いずに容易に且つ手間をかけずに行なうことができ、しかも可動壁３Ａの後端部３ａからの光漏れ及び隙間風を縦凹溝８によって防止でき、可動壁３Ａの上端部３ｂからの光漏れ及び隙間風を上枠部２ａの横凹溝９によって防止できる。
【０００８】
また請求項３記載の発明にあっては、上記可動壁３Ａを固定壁３Ｂに対して取り付ける手段が、可動壁３Ａの出入口１側の先端部から可動壁３Ａ内部を貫通して固定壁３Ｂに螺着されるボルト１０からなるのが好ましく、この場合、可動壁３Ａをボルト止めすることで、可動壁３Ａの取り付け強度を高めることができると共に、ボルト１０の取り外しによって固定壁３Ｂに対する可動壁３Ａの着脱作業を容易に行なうことができ、そのうえボルト１０の頭部は可動壁３Ａの出入口１側の先端部に位置することになるので、室内側からボルト１０の頭部が見えることもなく、外観性が良好となる。
【０００９】
また請求項４記載の発明にあっては、開口部４を構成する枠体２と、開口部４の一部を出入口１とするように設けられる控え壁３と、出入口１を開閉する方向に往復移動して該出入口１を開放するときは控え壁３の後ろに納められるモジュールサイズの引戸５とを備えた引戸装置において、上記控え壁３の出入口１側の片側半部を可動壁３Ａとし且つ残りの半部を固定壁３Ｂとし、可動壁３Ａを固定壁３Ｂに対して折り曲げ可能に連結するスイング手段１１を備えていることを特徴としている。
【００１０】
このような構成とすることで、通常よりも広い出入口幅が必要な場合には、可動壁３Ａを折り曲げるだけで出入口幅ｄを通常よりも広い開口幅Ｄ（＞ｄ）まで広げることが可能となり、請求項１と同様な作用効果が得られるうえに、可動壁３Ａはスイングするのみで固定壁３Ｂから外す必要がないため、可動壁３Ａの納まりも良くなる。
【００１１】
また請求項５記載の発明にあっては、開口部４を構成する枠体２と、開口部４の一部を出入口１とするように設けられる控え壁３と、出入口１を開閉する方向に往復移動して該出入口１を開放するときは控え壁３の後ろに納められるモジュールサイズの引戸５とを備えた引戸装置において、上記控え壁３の出入口１側の片側半部を可動壁３Ａとし且つ残りの半部を固定壁３Ｂとし、可動壁３Ａを固定壁３Ｂから取り外して固定壁３Ｂと対面する位置までスライドさせて保持するためのスライドレール１２を設けたことを特徴としている。
【００１２】
このような構成とすることで、通常よりも広い出入口幅が必要な場合には、スライドレール１２に沿って可動壁３Ａを固定壁３Ｂから取り外して固定壁３Ｂとの対面位置まで逃がすだけで、出入口幅ｄを通常よりも広い開口幅Ｄ（＞ｄ）まで広げることができ、請求項１と同様な作用効果が得られるうえに、可動壁３Ａをスライドレール１２に沿って移動させるだけでよいため、可動壁３Ａの納まりが良くなる。
【００１３】
また請求項６記載の発明にあっては、開口部４を構成する枠体２と、開口部４の一部を出入口１とするように設けられる控え壁３と、出入口１を開閉する方向に往復移動して該出入口１を開放するときは控え壁３の後ろに納められるモジュールサイズの引戸５とを備えた引戸装置において、上記控え壁３を、ヒンジ体１３を介して水平方向に折り畳み可能に連結された一対の折れ壁パネル３Ｃ，３Ｃで構成したことを特徴としている。
【００１４】
このような構成とすることで、通常よりも広い出入口幅が必要な場合には、一対の折れ壁パネル３Ｃ，３Ｃをヒンジ体１３を中心として折り畳むだけで、出入口幅ｄを通常よりも広い開口幅Ｄ（＞ｄ）まで広げることが可能となり、請求項１と同様な作用効果が得られるうえに、控え壁３を折れ戸式とすることで控え壁３の使い勝手も容易になる。
【発明の効果】
【００１５】
本発明にあっては、出入口幅を通常よりも広い開口幅まで広げることができるので、従来のように予め引戸をモジュールサイズ以上にしたり、枠体の枠外幅寸法をモジュールサイズよりも大きくしたりする必要がなく、一般住宅のモジュールサイズにも楽に納めることが可能となる。また引戸をモジュールサイズよりも大きなものを製作する必要がないため、引戸の重量が重くなるという問題がなく、そのうえ引戸の構造上、製造設備上から製作が無理になるという製造上の問題も生じないものである。
【発明を実施するための最良の形態】
【００１６】
以下、本発明を添付図面に示す実施形態に基いて説明する。
【００１７】
図１は控え壁３の一部を分割して取り外しできる構造とした場合の一例を示し、図２は可動壁３Ａの後端部３ａを嵌め込む固定壁３Ｂ側の縦凹溝８を示し、図３は可動壁３Ａの上端部３ｂを嵌め込む上枠部２ａの横凹溝９を示し、図４（ａ）（ｂ）は引戸５を閉じた状態を示し、図５は引戸５を閉じた状態の平面図を示している。
【００１８】
本例の引戸装置は、図１に示すように、開口部４を構成する枠体２と、開口部４の左半分又は右半分のどちらかを出入口１とするように設けられる控え壁３と、出入口１を開閉する方向に往復移動して該出入口１を開放するときは控え壁３の後ろに納められるモジュールサイズの引戸５とを備えている。ここで、控え壁３の出入口１側の片側半分を可動壁３Ａとし且つ残りの片側半分を固定壁３Ｂとし、可動壁３Ａの出入口１側とは反対側の後端部３ａを固定壁３Ｂの先端部に対して着脱可能に取り付けてある。
【００１９】
上記枠体２は、上枠部２ａと、左右の側枠部２ｃと、固定壁３Ｂの先端部に設けられる中方立て２ｄと、下枠部２ｂとで構成されている。上枠部２ａには、図６に示すように、引戸５の上端部をガイドするガイド溝１４（図１）以外に、可動壁３Ａの上端部３ｂをけんどん式で嵌め込むための横凹溝９が設けられている。この横凹溝９は可動壁３Ａの上端部３ｂからの光漏れ及び隙間風を防止する働きもする。下枠部２ｂには、引戸５の下端部をガイドするガイドレール（図示せず）とは別に、可動壁３Ａの下端部に設けた後述のフランス落とし７を挿入するための挿入溝３０（図１３）が設けられている。なお上枠部２ａは図６のような中空枠状で構成されてもよい。
【００２０】
さらに固定壁３Ｂの先端部に取り付けられる中方立て２ｄには、可動壁３Ａの後端部３ａが嵌め込まれるしゃくり溝からなる縦凹溝８が設けられている。図２に示すように、可動壁３Ａの後端部３ａを横方向から縦凹溝８に係止させることによって可動壁３Ａと固定壁３Ｂとの隙間からの光漏れ及び隙間風を防止した状態で可動壁３Ａの後端部３ａを固定壁３Ｂに対して前後方向に位置決めした状態で保持できるようになっている。なお縦凹溝８の内部にはウレタン系クッション１６が設けられ、密着性が確保されている。また可動壁３Ａの出入口１側の先端部には引戸５との摺接部１７が設けられている。
【００２１】
さらに本例では、上記可動壁３Ａを上枠部２ａ及び下枠部２ｂに対して係止する手段として、実開平６−４７５５２号公報に示されるフランス落とし７が用いられている。このフランス落とし７は、図１３、図１４に示すように、可動壁３Ａへの取付板２０を有する筒体２１内に、錠杆２６付きのスライダ２５を挿入してある。操作杆２３を押し下げると、スライダ２５と共に錠杆２６が下方にスライドし、床面の係合穴３０に錠杆２６の下端が嵌入するので、可動壁３Ａの閉鎖状態を維持する。このとき爪２４と係止部２６とが一致するのでバネ２５により揺動体２２に付与してある回動性により係止部２６に爪２４が自動的に係合する。このため、スライダ２５の上昇方向のスライドが阻止される。次に、錠杆２６と係合穴３０との係合関係を解除する場合は、操作杆２３を引き上げる。このとき、図１３の時計方向に揺動体２２が回動して、係止部２６から爪２４が外れるので、スライダ２５の上昇阻止が解除され、操作杆２３の引き上げ上昇にともないスライダ２５と共に錠杆２６が上昇する。そして、上昇するスライダ２５のスライドが終了直前になると、ピン２９により板バネ２８に形成したストッパ２７を押し逃がし、ピン２９がストッパ２７を乗り越えると、ピン２９とストッパ２７との自動係合によってスライダ２５の降下が阻止される構造となっている。なお３１は取付板２０から可動壁３Ａにねじ込まれるビスや木ネジが挿通する挿通孔、２７及び２８は錠杆２６の長さを調整するネジ孔及びネジ部、３２は揺動体２２を回動自在に支持するピンである。
【００２２】
しかして、出入口幅ｄよりも大きな例えば、ピアノとか大型家具類を搬入する場合は通常よりも広い出入口幅が必要となる。このとき引戸５を取り外すと共に、可動壁３Ａの上下のフランス落とし７を解除してけんどん式の可動壁３Ａを枠体２から取り外すことで、可動壁３Ａを固定壁３Ｂから分離でき、図１に示す出入口幅ｄを通常よりも広い開口幅Ｄ（＞ｄ）まで広げることができる。ちなみに出入口幅ｄが９００ｍｍ、引戸５のモジュール幅Ｍが例えば９３０ｍｍ、枠体２の枠外幅寸法Ｌが１８７５ｍｍの場合において、可動壁３Ａを取り外すことで、広い開口幅Ｄ（例えば１２００ｍｍ）を確保できるようになる。
【００２３】
次に、上記可動壁３Ａを戻す場合は、可動壁３Ａをけんどん式で上枠部２ａと下枠部２ｂとに嵌め込むと共に、可動壁３Ａの後端部３ａを固定壁３Ｂの縦凹溝８に嵌め込む。その後、可動壁３Ａの上下両端部をそれぞれフランス落とし７で上枠部２ａと下枠部２ｂとにそれぞれ係止させることで、可動壁３Ａ付き固定壁３Ｂがフラットな一面の控え壁３となり、可動壁３Ａを出入口１側に向ってせり出すようにして取り付けることができる。
【００２４】
従って、本発明においては出入口幅ｄを広げるにあたり、予め枠体２の枠外幅寸法Ｌをモジュールサイズよりも大きくする必要がないため、一般住宅のモジュールサイズに楽に納めることが可能となる。また引戸５もモジュールサイズのものを使用でき、予め大きなものを製作する必要もないため、引戸５の重量が重くなるという問題がなく、そのうえ引戸５の構造上、製造設備上から製作が無理になるという製造上の問題もない。
【００２５】
また本例では可動壁３Ａをけんどん式で取り付け、且つフランス落とし７により係止させるだけでよく、簡単に取り付けることができ、しかも可動壁３Ａの着脱作業をドライバー等の工具を用いずに容易に且つ手間をかけずに行なうことができ、とくに図１３のフランス落とし７を用いることで錠杆の上昇阻止や錠杆の降下阻止のための手間のかかる操作が不要となる。さらに可動壁３Ａの後端部３ａからの光漏れ及び隙間風を縦凹溝８によって防止でき、可動壁３Ａの上端部３ｂからの光漏れ及び隙間風を上枠部２ａの横凹溝９によって防止できると共に、控え壁３を可動壁３Ａと固定壁３Ｂとに分離した構造でありながら、控え壁３として一体に連続した外観を得ることができ、見栄えもきわめて良好となる。
【００２６】
なお本実施形態ではフランス落とし７を用いて可動壁３Ａを係止させているが、これに代えて、図１１、図１２に示すように、ボルト止めで固定してもよい。図１１の例では、可動壁３Ａの出入口１側の先端部から可動壁３Ａ内部を貫通して中方立て２ｄに螺着される長尺のボルト１０を用いている。このボルト止めによる構造では、可動壁３Ａの取り付け強度が向上すると共に、ボルト１０の取り外しによって可動壁３Ａの着脱作業を容易に行なうことができるという利点があり、さらにボルト１０の頭部は可動壁３Ａの出入口１側の先端部に位置することになるので、室内側からボルト１０の頭部が見えることもなく、外観性が良好になるという利点もある。
【００２７】
図７、図８は他の実施形態を示している。本例では可動壁３Ａを固定壁３Ｂに対して折り曲げ可能に連結するスイング手段１１を備えている。このスイング手段１１は本例では上下一対の蝶番１１で構成されている。また本例では、可動壁３Ａの下端部に下枠部２ｂとの隙間を塞ぐ接床装置（図示せず）が設けられており、可動壁３Ａの下端部からの光漏れ及び隙間風を防止すると共に、控え壁３と枠体２との一体感が得られるようにしている。他の構成は図１〜図４の実施形態と同様であり、対応する部位には同一符号を付して詳しい説明は省略する。
【００２８】
しかして、通常よりも広い出入口幅が必要な場合には、フランス落とし７（図１３）を解除して可動壁３Ａを回転中心として図７のように折り曲げることで、出入口幅ｄを通常よりも広い開口幅Ｄ（＞ｄ）まで広げることが可能となる。また通常時は可動壁３Ａを真っ直ぐ延ばしてフランス落とし７を係止させることで、可動壁３Ａ付き固定壁３Ｂがフラットな一面の控え壁３となる。従って、図１〜図４の実施形態と同様、枠外幅寸法Ｌを大きく変えることなく、しかもモジュールサイズの引戸５を用いたものでありながら、広い開口幅Ｄ（＞ｄ）を必要に応じて容易に確保できるという作用効果が得られるようになる。しかも本例では、可動壁３Ａはスイングするのみであり、固定壁３Ｂからは外れないため、可動壁３Ａの開閉操作がきわめて容易になると共に、可動壁３Ａの納まりも良くなる。
【００２９】
図９は更に他の実施形態を示している。本例では可動壁３Ａを固定壁３Ｂから取り外して固定壁３Ｂと対面する位置までスライドさせて保持するためのスライドレール１２を備えている。他の構成は図１〜図４の実施形態と同様であり、対応する部位には同一符号を付して詳しい説明は省略する。本例のスライドレール１２は可動壁３Ａの上端部３ｂに設けた上ガイドを走行自在に吊り下げ支持するものであり、可動壁３Ａの後端部３ａを固定壁３Ｂに接離する方向に移動自在にガイドするガイドレール部１２ａと、固定壁３Ｂから取り外した可動壁３Ａを手前に引き出すための一対の引き出し用レール部１２ｂと、可動壁３Ａを固定壁３Ｂとの対面位置まで逃がすための逃がし用レール部１２ｃとからなる。また本例では、可動壁３Ａの下端部に下枠部２ｂとの隙間を塞ぐ接床装置（図示せず）が設けられており、可動壁３Ａの下端部からの光漏れ及び隙間風を防止すると共に、控え壁３と枠体２との一体感が得られるようにしている。しかして、通常よりも広い出入口幅が必要な場合には、可動壁３Ａのフランス落とし７を解除し、その後、スライドレール１２に沿って可動壁３Ａを固定壁３Ｂから取り外して可動壁３Ａの後端部３ａを縦凹溝８から抜き出し、さらに可動壁３Ａを手前に引き出し、さらに固定壁３Ｂとの対面位置まで逃がすことで出入口幅ｄを通常よりも広い開口幅Ｄ（＞ｄ）まで広げることができる。可動壁３Ａを戻すときは上記とは逆に移動させることで、可動壁３Ａを出入口１側に向ってせり出す形に戻すことができ可動壁３Ａ付き固定壁３Ｂがフラットな一面の控え壁３となる。従って、図１〜図４の実施形態と同様、枠外幅寸法Ｌを大きく変えることなく、しかもモジュールサイズの引戸５を用いたものでありながら、広い開口幅Ｄ（＞ｄ）を必要に応じて容易に確保できるという作用効果が得られる。しかも本例では、可動壁３Ａはスライドレール１２に沿って移動して保持されるので、可動壁３Ａの納まりが良くなる。またスライドレール１２は吊り下げレールであるため、床面にレールを設置する必要がなく、フラットな床面を確保できるものである。
【００３０】
図１０は更に他の実施形態を示している。本例では上記控え壁３を、ヒンジ体１３を介して水平方向に折り畳み可能に連結された一対の折れ壁パネル３Ｃ，３Ｃで構成している。また本例では、一対の折れ壁パネル３Ｃ，３Ｃの下端部に下枠部２ｂとの隙間を塞ぐ接床装置（図示せず）が設けられており、折れ壁パネル３Ｃ，３Ｃの下端部からの光漏れ及び隙間風を防止すると共に、折れ壁パネル３Ｃ，３Ｃと枠体２との一体感が得られるようにしている。他の構成は図１〜図４の実施形態と同様であり、対応する部位には同一符号を付して詳しい説明は省略する。
【００３１】
しかして控え壁３を折れ戸式の折れ壁パネル３Ｃ，３Ｃで構成し、通常よりも広い出入口幅が必要な場合にはフランス落とし７（図示せず）による係止を解除して一対の折れ壁パネル３Ｃ，３Ｃをヒンジ体１３を中心として折り畳むだけで、出入口幅ｄを通常よりも広い開口幅Ｄ（＞ｄ）まで広げることが可能となる。また通常時は折れ壁パネル３Ｃ，３Ｃを引き延ばしてフランス落とし７により係止することで、一対の折れ壁パネル３Ｃ，３Ｃがフラットな一面の控え壁３となる。従って、図１〜図４の実施形態と同様、枠外幅寸法Ｌを大きく変えることなく、しかもモジュールサイズの引戸５を用いたものでありながら、広い開口幅Ｄ（＞ｄ）を必要に応じて容易に確保できるという作用効果が得られる。しかも本例では、控え壁３を一対の折れ壁パネル３Ｃ，３Ｃをヒンジ体１３を中心として折り畳み可能としたので、納まりが良く且つ取り扱い性にも優れたものとなる。
【図面の簡単な説明】
【００３２】
【図１】本発明の一実施形態の分解斜視図である。
【図２】同上の可動壁の後端部を係止する固定壁側の縦凹溝を説明する平面図である。
【図３】同上の可動壁の上端部を差し込む上枠部の横凹溝を説明する斜視図である。
【図４】（ａ）（ｂ）は引戸を閉じた状態の正面図及び平面図である。
【図５】同上の引戸を戸じた状態の平面断面図である。
【図６】同上の控え壁と引戸の側面図である。
【図７】他の実施形態の分解斜視図である。
【図８】同上の平面図である。
【図９】更に他の実施形態の分解斜視図である。
【図１０】更に他の実施形態の斜視図である。
【図１１】更に他の実施形態の分解斜視図である。
【図１２】図１１の組立て状態の斜視図である。
【図１３】同上のフランス落としの断面図である。
【図１４】同上のフランス落としの正面図である。
【図１５】従来例の説明図である。
【符号の説明】
【００３３】
１  出入口
２  枠体
２ａ  上枠部
２ｂ  下枠部
３  控え壁
３Ａ  可動壁
３Ｂ  固定壁
３Ｃ  折れ壁パネル
３ａ  後端部
３ｂ  上端部
４  開口部
５  引戸
８  縦凹溝
９  横凹溝
１０  ボルト
１１  スイング手段
１２  スライドレール
【図１】
2005133318.tif 000003
【図２】
2005133318.tif 000004
【図３】
2005133318.tif 000005
【図４】
2005133318.tif 000006
【図５】
2005133318.tif 000007
【図６】
2005133318.tif 000008
【図７】
2005133318.tif 000009
【図８】
2005133318.tif 000010
【図９】
2005133318.tif 000011
【図１０】
2005133318.tif 000012
【図１１】
2005133318.tif 000013
【図１２】
2005133318.tif 000014
【図１３】
2005133318.tif 000015
【図１４】
2005133318.tif 000016
【図１５】
2005133318.tif 000017